(57)【特許請求の範囲】
【請求項１】
薬用瓶のための計算補助具であって、開口頂部を有する瓶と、前記開口頂部を封止する封止栓と、を含み、前記封止栓は内側部と外側部からなり、当該外側部は前記内側部の外周に回転可能に設けられ、前記内側部には、体重の少なくとも１列の指標と、指定体重にとって適正な計算投薬量の１列の指標と、前記計算投薬量に対応するエリキシル剤の計算用量の１列の指標とが設けられ、前記外側部には、前記指標の選択的視認を可能とする開口が形成されていることを特徴とする計算補助具。
【請求項２】
請求項１記載の計算補助具であって、前記開口は前記体重の１つの値と、当該体重の１つの値に対応する投薬量と、当該投薬量に対応するエリキシル剤の用量とを前記封止栓の外側に表示することを特徴とする計算補助具。
【請求項３】
請求項１記載の計算補助具であって、前記封止栓は、耐改ざん性を有することを特徴とする計算補助具。
【請求項４】
請求項１記載の計算補助具であって、前記体重の１列の指標は、ポンド又はキログラム単位で表示されることを特徴とする計算補助具。
【請求項５】
薬用瓶のための計算補助具であって、開口頂部を有する瓶と、前記開口頂部を封止する封止栓と、前記瓶の外周に回転可能に設けられ、体重入力に基づいてエリキシル剤投薬量を表示する襟部と、
を含み、前記瓶は、体重の少なくとも１つ列の指標と、指定体重にとって適正な計算投薬量の１列の指標と、前記計算投薬量に対応するエリキシル剤の計算用量の１列の指標と、を含み、前記襟部は、前記指標の選択的視認を可能とする開口を有することを特徴とする計算補助具。
【請求項６】
請求項５記載の計算補助具であって、前記開口は前記体重の１つの値と、当該体重の１つの値に対応する投薬量と、当該投薬量に対応するエリキシル剤の用量とを表示することを特徴とする計算補助具。
【請求項７】
請求項５記載の計算補助具であって、前記体重の１列の指標は、ポンド又はキログラム単位で表示されることを特徴とする計算補助具。
【請求項８】
請求項２記載の計算補助具であって、前記開口は前記体重の１つの値と、当該体重の１つの値に対応する投薬量と、当該投薬量に対応するエリキシル剤の用量とを一列に表示することを特徴とする計算補助具。
【請求項９】
請求項６記載の計算補助具であって、前記開口は前記体重の１つの値と、当該体重の１つの値に対応する投薬量と、当該投薬量に対応するエリキシル剤の用量とを一列に表示することを特徴とする計算補助具。
【発明の詳細な説明】
【０００１】
【発明の属する技術分野】
本発明は、薬用瓶の改良に関し、特に、エリキシル剤（elixir）のための体重指定の投薬量計算の補助具に関し、個々人の体重に基づいてエリキシル剤の投薬量を計算するための基準源を該薬用瓶上にて提供する。
【０００２】
【従来技術】
現状、アセトアミノフェン、イブプロフェン及び消炎剤／咳抑止剤の如き小児用エリキシル剤は瓶にパッケージされるが、異なる体重の小児に対するその推奨投薬量には曖昧さ及び広範さがある。例えば、瓶に記載の何らかの推奨投薬量は小児年齢に基づいている。しかし、小児用のエリキシル剤の投薬量は、医師の机上の基準による体重に特定的に基づいている。これは、ある年齢の小児の体重の有意な広がりの点からして特に際どいものであり、年齢に基づく投薬量決定を不正確なものにするばかりでなく、最も危険なものにしている。
【０００３】
直截な基準なしに医師により処方されるエリキシル剤でさえ不正確に低い投薬量を招く場合がある。例えば、小児医師が小児の保護者に指示して小児に指定日に指定量のエリキシル剤を与えた時、該保護者は、後の何カ月間は同一の投薬量を子供に与え続けるべきであるが、子供の体重が変化した場合にはこの投薬量は正しくなくなる。小児の体重は急激に変わり得るものであり、保護者が医者にその体重変化を伝えなかった場合には、その投薬量は不適切である。小児の急速な体重変化の必要に迫られて、投薬量の連続した調整が薬物に対する治療上の最大効果を保証する上で重要である。医師として親から四カ月前に処方した薬の使用にもかかわらず子供の熱が何故冷めなかったかと問い合わせされることは良くあることであり、或いは、より際どい場合では、アセトアミノフェンの投薬を受けた後なのになぜ私の子供の熱が短期に上昇したのかと問い合わせを受けることがある。
【０００４】
現状では、チャート及びピンホィールに基づいて与えられる体重指定の投薬量計算が有るものの、通常の人々にとっては容易に利用可能ではない。もし利用可能であっても、かかるチャートは錯綜した列状の投薬量を与えるはずであり、一般の消費者が理解し得るものではない。医師の机上の基準は計算のためには用いられ得るものの、かかる基準書は、通常、平均的消費者は購入しないし理解され得るものでもない。
【０００５】
瓶に設置又は一体化されたインジケータが技術的に知られているが、その動作の主要な目的は、ａ）投薬量スケジュールの注意喚起、ｂ）最終の投薬がなされたか否かの注意喚起、或いはｃ）各投薬の間隔で取られる錠剤の数の注意喚起の如きである。
米国特許第４，６６６，０５１号は、薬を出す所定時刻シーケンスの表示に使用する瓶設置の記憶補助具を開示している。
【０００６】
米国特許第４，７４９，０９３号は、薬物療法のための異なる投薬スケジュールを収容し得る、薬の投薬を患者に注意喚起するのに使用するための記憶補助具を開示している。米国特許第５，３７７，６１４号は、錠剤を摂る又は他の薬投薬の週日、日付時刻を示すインジケータを開示している。
米国特許第５，３５８，１１７号及び第５，２７９，４２２号は、次に薬を摂る時間を表示し、ボトル周りに環状に印字された指標を備える瓶インジケータを開示している。
【０００７】
米国特許第４，９２０，９１２号は、最後に何時薬を投薬したかと、次に何時薬を投薬するかの両方を指示するタイムダイヤルを開示している。
米国特許第５，０１１，０３２号は、どの投薬が最後になされたものか、或いはどの投薬がなされるべきかの注意を喚起し、各投薬時期において摂られるべき投薬単位数を表示する患者の投薬計画に追従する栓を開示している。
【０００８】
米国特許第４，７５３，１８９号は、使用者に次の投薬時間と他の情報を指示する投薬量インジケータを有する薬用瓶の栓を開示している。該インジケータは、１つの位置から他の位置に増分を以て移動され、次の投薬の時間を指示し、次いで該瓶から薬の取り外しをなす。
薬用瓶のための投薬量指示をなす封止具が従来から知られて用いられている。かかる開示としては、米国特許第３，１５１，５９９号、第３，３５５，０６７号、第３，５７２，２８２号、第３，９６０，７１３号、及び第４，０４１，６２８号が含まれる。
【０００９】
従来技術は、患者に注意喚起する記憶補助を指向したもの、即ち、１）患者に処方された薬を何日摂るか、２）該薬を１日何回摂るか、３）最後に投薬したのは何時か、４）患者の次の投薬は何時か、５）各投薬間隔にて摂られるべき錠剤の数、を注意喚起するものであり、何ら従来技術には、実際に患者に対してエリキシル剤の体重指定により投薬量を計算する計算補助具は無い。患者が小児の場合には、その投薬量には彼らのサイズと変化する体重に依存した最も特定化した決定を要求するものである。
【００１０】
従って、必要とされるのは、栓の内に又は瓶に設置された体重指定により投薬量計算基準であり、利便性と、利用者親和性と、即時利用可能なやり方を提供して、エリキシル剤を必要とする小児が、所与の体重で該小児に対して推奨される実際の投薬量を摂ることで、その最大限の治療効果を維持することを保証する。裏面、一体化された体重対投薬量の変換基準により、小児が彼らの体重に対して不適切に高い投薬量の投薬と、場合によっては潜在的に有毒或いは致命的でさえある誤りを事実上除去する。
【００１１】
【発明の概要】
本発明は、エリキシル剤との使用のための体重指定投薬量計算基準である。該計算基準は、襟部の回転に基づいて狭い開口を用いて、瓶栓又は瓶側部に銘記された特定の推奨投薬量の表示を可能とする。
好ましい実施例において、特定の治療患者の体重に対応する予め計算された特定エリキシル剤の投薬量の基準が栓の内にて提供される。変形例において、治療患者の指定体重に対応する予め計算された特定エリキシル剤の投薬量の基準が瓶設置にて提供される。
【００１２】
従って、本発明の目的は、エリキシル剤の栓又は瓶に一体化され精確な計算情報を提供することである。
本発明の他の目的は、基準書、ピンホィール、或いは、該計算には用いられるが、該瓶と一体化されないばらばらの資料の如きものの必要性を無くすことである。
【００１３】
本発明の他の目的は、小児の体重に依存するエリキシル剤の投薬量を提供するために、医師及び平均的な消費者の両方にとって利用可能な書式を提供することである。
更に、本発明の他の目的は、大人、子供及び愛玩動物に対して適用性をもつ指定投薬量計算器を提供することである。
【００１４】
本発明の他の目的は、特定年齢の平均的な子供の体重について表示する如く殆どのエリキシル剤の瓶上に現状備えられる曖昧さ且つ広範さに起因する薬の不適切に高い投薬量の発生を低減することである。
本発明の他の目的は、不正確な投薬を避けることで、最良の治療収入の達成を促進することである。
【００１５】
更に、本発明の他の目的は、大人、子供又は愛玩動物の体重に適合する薬の適正な投薬量の計算を可能とする装置を提供することである。
正確な投薬を促進することで薬の治療効果を最大限にすることを本発明の更なる目的である。
本発明の他の目的及び利点は、添付の図面と結びついて引き続く説明から明らかとなる。ここでは、本発明の１つの実施形態が例示の形で提起される。該図面は本明細書の一部をなし、本発明の例示的な実施例を含み、本発明の多様な目的と特徴を示している。
【００１６】
【実施例】
本発明が特定の実施例の形式にて説明されるが、多様な改変と再構成と代替例が本発明の思想から逸脱することなくなされ得ることは当業者にとって明らかである。本発明の範囲は、添付の請求項の記載により画定される。
ここで、図１を参照すると、本発明の好ましい実施例が説明される。ここで、計算補助具が、開口頂上部及び封止具即ち瓶栓１２とを有する薬用瓶１０と共に用いられ、該栓１２に一体化して形成される計算基準チャートを含む。最も基本の形において、該栓１２は、封をするために用いられる内側部品１４と、外側部品１６即ち計算基準の視認のための開口を有する襟部との２つの部品から作られる。好ましくは、該封止具は耐改ざん性を有する。
【００１７】
内側部品１４は、在来の薬用瓶のための対小児安全設計の封止具であり、４つの平行列にて記載された銘記された指標を含む。１つの列は、ポンド単位１８にて広範な小児の体重を含み、第２の列は、キログラム単位２０にて小児の体重を含み、第３の列は、ミリグラム単位２２にて特定の体重に適切な予め計算された投薬量を提供する。第４の列は、当該投薬量２４に対応するミリリットル単位のエリキシル剤の用量を提供する。外側の部材１６は、自由に回転するプラスチックの襟部であり、上記の列の各々に対して別々の窓を提供する４つの開口からなる１つのカラム２６を有する。最上部の開口には、”体重ポンド”と表記され、次の開口には”体重キログラム”と表記され、次の開口には”投薬量ミリグラム”と表記され、そして、最下部の開口には”用量＿ミリリットル”と表記される。体重指定であって患者指定ではないかかる計算補助具は店頭販売の薬用品として広く配布され得るもであり、薬剤師に設定され特定の患者の必要性を注記してこれを永久的に維持する即ち固定化を要するのとは異なる。
【００１８】
計算基準は、プラスチックの襟部１６の回転により機能する。１単位が該襟部を進めることで、第１又は第２開口２６に小児の体重を表示する。これに次いで、ミリグラム単位の投薬量及びミリリットル単位の用量が第３及び第４の開口に各々表示される。
図２を参照すると、本発明の他の実施例が説明される。ここで、計算基準は、薬用瓶の一部である。この実施例において、薬用瓶５０は、薬用瓶表面５２に一体化して形成される計算基準チャートを含む。外側襟部５４は、該瓶の外面に沿って摺動可動であり、計算基準の視認のための開口列５６を含む。
【００１９】
該開口列は、４つの平行列にて記載された銘記指標の視認のためにある。１つの例は、ポンド単位の広範な小児の体重５８を含み、第２の列は、キログラム単位にて小児の体重６０を含み、第３の列は、ミリグラム単位にて指定体重にて適切な予め計算された投薬量６２を提供する。第４の列は、当該投薬量に対応するミリリットル単位にてエリキシル剤の用量６４を提供する。
【００２０】
外側の部材５４は、自由に回転するプラスチックの襟部であり、上記の列の各々に対して別々の窓を提供する４つの開口からなる１つのカラム５６を有する。最上部の開口には”体重ポンド”と表記され、次の開口には”体重キログラム”と表記され、次の開口には”投薬量ミリグラム”と表記され、そして、最下部の開口には”用量＿ミリリットル”と表記される。栓６８は、薬品の封じるのに用いられ、何らかの対小児安全設計からなっても良い。該計算基準は、プラスチック襟部５４の回転により機能する。
【００２１】
１単位が該襟部を進めることで、第１又は第２開口５６に小児の体重を表示する。ミリグラム単位の投薬量及びミリリットル単位の用量が第３及び第４の開口に表示される。
計算補助具は、特定濃縮の特定薬品を前提とする指標を用いる。この厳格な条件は、ａ）同じ薬が異なる濃度で製造された場合、ｂ）一緒にされた異なる薬に関する場合においては、異なる体重対投薬量変換ファクタが要求されるという理解によるものである。一般的な事前注意として、薬の名称及び濃度は該栓の頂部に銘記されるべきであって、これにより、その利用者が、その銘記された計算が、事実として、該栓が取り付けられる瓶の内部にある薬品に関するものであると確認することができる。
【００２２】
本発明の１つの形態の例示及び説明がなされたが、ここで示された特定の形態或いは各部品の構成に本発明は限定されないことは理解されるべきである。本発明の範囲から逸脱することなく多様な変更がなされ得るものであり、本発明が図面及び本明細書中に示されたものに限定されないと思料されることは当業者にとって明らかである。
【図１】
0005073142.tif 000002
【図２】
0005073142.tif 000003